(57)【要約】【課題】入力文字についての従来のヒストリ機能と同様な機能を実現すること、またその機能を複数辞書に亘り横断的に利用可能とすること。【解決手段】第１英和辞書を指定し、図（ａ）の検索語入力画面において文字入力領域１０１に入力文字「〜ｐｏｌｉｔｉｃｓ」を入力すると、図（ｂ）のように、この入力文字に適合する見出語の候補が第１英和辞書の辞書ＤＢから検索されて一覧表示される。その後、第２英和辞書を指定し、図（ｃ）の検索語入力画面において所定操作（例えば、左キー操作）を行うと、図（ａ）において文字入力領域１０１に入力した入力文字「〜ｐｏｌｉｔｉｃｓ」が文字入力領域１０２に自動的に表示されるとともに、この入力文字に適合する見出語の候補が第２英和辞書の辞書ＤＢから検索されて一覧表示される。【選択図】      図６
2004295308.tif 000002
【特許請求の範囲】
【請求項１】
見出語と該見出語の説明情報とが対応付けられた情報を集合した集合情報を複数種類記憶する情報記憶手段と、
前記複数の集合情報の内から一の集合情報を指定する第１指定手段と、
この第１指定手段により指定された集合情報に対する検索語用の文字入力領域に、入力文字を入力する第１入力手段と、
この第１入力手段により入力された入力文字を記憶する入力文字記憶手段と、
前記第１入力手段により入力された入力文字に適合する見出語を、前記第１指定手段により指定された集合情報から読み出して表示する制御を行う第１見出語表示制御手段と、
前記複数の集合情報の内から他の集合情報を指定する第２指定手段と、
所定操作がなされた場合に、前記第２指定手段により指定された集合情報に対する検索語用の文字入力領域に、前記入力文字記憶手段に記憶されている入力文字を入力する第２入力手段と、
この第２入力手段により入力された入力文字に適合する見出語を、前記第２指定手段により指定された集合情報から読み出して表示する制御を行う第２見出語表示制御手段と、
を備えることを特徴とする情報表示制御装置。
【請求項２】
前記入力文字記憶手段に記憶されている入力文字を、前記第２指定手段により指定された集合情報に含まれる見出語の文字種別の入力文字に変換する変換手段を更に備え、
前記第２入力手段は、前記変換手段により変換された後の入力文字を入力する変換文字入力手段を有する、
ことを特徴とする請求項１に記載の情報表示制御装置。
【請求項３】
前記変換手段は、前記入力文字記憶手段に記憶されている入力文字の文字種別がアルファベットであり、且つ、前記第２指定手段により指定された集合情報の見出語の文字種別が仮名である場合に、当該入力文字を仮名読みの入力文字に変換する仮名読み変換手段を有する、ことを特徴とする請求項２に記載の情報表示制御装置。
【請求項４】
前記入力文字記憶手段は、複数の入力文字を蓄積記憶する蓄積記憶手段を有し、
前記第２入力手段は、前記所定操作がなされる毎に、前記蓄積記憶手段に蓄積記憶されている入力文字を順次切り換えて入力する切換入力手段を有する、
ことを特徴とする請求項１〜３の何れか一項に記載の情報表示制御装置。
【請求項５】
所定の通信回線を介して利用者端末と接続されるサーバにおいて、
見出語と該見出語の説明情報とが対応付けられた情報を集合した集合情報を複数種類記憶する情報記憶手段と、
前記複数の集合情報の内から一の集合情報を指定する第１指定情報を前記利用者端末から受信する第１指定情報受信手段と、
前記利用者端末から入力文字を受信する入力文字受信手段と、
この入力文字受信手段により受信された入力文字を記憶する入力文字記憶手段と、
前記入力文字受信手段により受信された入力文字に適合する見出語を、前記第１指定情報受信手段により受信された第１指定情報が指定する集合情報から読み出して、前記利用者端末に送信する第１見出語送信手段と、
前記複数の集合情報の内から他の集合情報を指定する第２指定情報を受信する第２指定情報受信手段と、
前記利用者端末から所定操作信号を受信する操作信号受信手段と、
この操作信号受信手段により前記所定操作信号が受信された場合に、前記入力文字記憶手段に記憶されている入力文字に適合する見出語を、前記第２指定情報受信手段により受信された第２指定情報が指定する集合情報から読み出して、前記利用者端末に送信する第２見出語送信手段と、
を備えることを特徴とするサーバ。
【請求項６】
コンピュータに、
見出語と該見出語の説明情報とが対応付けられた情報を集合した集合情報を複数種類記憶する情報記憶機能と、
前記複数の集合情報の内から一の集合情報を指定する第１指定機能と、
この第１指定機能により指定された集合情報に対する検索語用の文字入力領域に、入力文字を入力する第１入力機能と、
この第１入力機能により入力された入力文字を記憶する入力文字記憶機能と、
前記第１入力機能により入力された入力文字に適合する見出語を、前記第１指定機能により指定された集合情報から読み出して表示する制御を行う第１見出語表示制御機能と、
前記複数の集合情報の内から他の集合情報を指定する第２指定機能と、
所定操作がなされた場合に、前記第２指定機能により指定された集合情報に対する検索語用の文字入力領域に、前記入力文字記憶機能によって記憶されている入力文字を入力する第２入力機能と、
この第２入力機能により入力された入力文字に適合する見出語を、前記第２指定機能により指定された集合情報から読み出して表示する制御を行う第２見出語表示制御機能と、
を実現させるためのプログラム。
【請求項７】
所定の通信回線を介して利用者端末と接続されるコンピュータに、
見出語と該見出語の説明情報とが対応付けられた情報を集合した集合情報を複数種類記憶する情報記憶機能と、
前記複数の集合情報の内から一の集合情報を指定する第１指定情報を前記利用者端末から受信する第１指定情報受信機能と、
前記利用者端末から入力文字を受信する入力文字受信機能と、
この入力文字受信機能により受信された入力文字を記憶する入力文字記憶機能と、
前記入力文字受信機能により受信された入力文字に適合する見出語を、前記第１指定情報受信機能により受信された第１指定情報が指定する集合情報から読み出して、前記利用者端末に送信する第１見出語送信機能と、
前記複数の集合情報の内から他の集合情報を指定する第２指定情報を受信する第２指定情報受信機能と、
前記利用者端末から所定操作信号を受信する操作信号受信機能と、
この操作信号受信手段により前記所定操作信号が受信された場合に、前記入力文字記憶機能によって記憶されている入力文字に適合する見出語を、前記第２指定情報受信機能により受信された第２指定情報が指定する集合情報から読み出して、前記利用者端末に送信する第２見出語送信機能と、
を実現させるためのプログラム。
【発明の詳細な説明】
【０００１】
【発明の属する技術分野】
本発明は、情報表示制御装置、サーバ及びプログラムに関する。
【０００２】
【従来の技術】
従来から、国語辞書や英和辞書、和英辞書等の様々な種類の辞書データベースを内蔵した、電子辞書と呼ばれる情報表示制御装置が知られている。辞書データベースは、見出語と、該見出語を説明・解説する説明情報とを対応付けた辞書データを多数記憶している。ユーザは、辞書の種類を指定して入力文字を入力することで、この入力文字に適合する見出語に対応する説明情報を表示させることができる。
【０００３】
また、電子辞書には、ユーザが所望する情報を効率良く検索可能とするため、ユーザによって入力された入力文字に適合し、説明情報が表示された見出語を蓄積記憶しておくとともに、蓄積記憶している見出語を一覧表示して、これらの内からユーザに選択された見出語についての検索を行う、いわゆるヒストリ機能を備えたものがある。このヒストリ機能によれば、ユーザは、過去に検索したことのある見出語の検索を再度行うときに、いちいちその語句を入力することなく、再検索を容易に行うことができる（例えば、特許文献１参照）。
【０００４】
【特許文献１】
特開平５−２３３６８４号公報
【０００５】
【発明が解決しようとする課題】
しかしながら、従来のヒストリ機能では、ユーザによって入力された入力文字に適合し、説明情報が表示された見出語が蓄積記憶されるのであり、入力文字そのものが登録されるものではない。このため、ヒストリ機能の目的とする使い勝手の向上を十分に満足するものとは言えず、次のような問題が発生していた。例えば、アスタリスク等を用いた入力文字を入力し、前方一致検索や後方一致検索を行う場合がそれである。アスタリスク等を用いた入力文字は登録されないため、再度同じ入力文字で検索を行おうとする場合には、再度同じ入力文字を入力する必要があった。
【０００６】
更に、従来のヒストリ機能では、辞書毎に分類されて見出語が登録されるのが一般的であった。従って、とある辞書においてヒストリ登録された見出語は、他の辞書のヒストリとしては登録される、ヒストリ機能を各辞書間で横断的に利用できないという問題があった。また、上述の入力文字が登録されるわけではないという問題と相俟って、次のような問題が発生していた。即ち、例えばある１つの入力文字について、複数種類の辞書で検索を行い、それぞれの辞書での検索結果を見比べるといった場合である。この場合、検索対象の辞書を変更する毎に、同じ入力文字を入力しなければならず、非常に面倒であった。
【０００７】
上記問題に鑑み、本発明は、入力文字についての従来のヒストリ機能と同様な機能を実現すること、またその機能を複数辞書に亘り横断的に利用可能とすること目的としている。
【０００８】
【課題を解決するための手段】
上記課題を解決するために、請求項１記載の発明は、
見出語と該見出語の説明情報とが対応付けられて集合された集合情報（例えば、実施の形態における各種辞書ＤＢ）を複数種類記憶する情報記憶手段（例えば、図２のＲＯＭ４０）と、
前記複数の集合情報の内から一の集合情報を指定する第１指定手段（例えば、図２の入力部２０；図５のステップＳ１１）と、
この第１指定手段により指定された集合情報に対する検索語用の文字入力領域に、入力文字を入力する第１入力手段（例えば、図２の入力部２０；図５のステップＳ１２）と、
この第１入力手段により入力された入力文字を記憶する入力文字記憶手段（例えば、図２のＲＡＭ６０；図５のステップＳ１４）と、
前記第１入力手段により入力された入力文字に適合する見出語を、前記第１指定手段により指定された集合情報から読み出して表示する制御を行う第１見出語表示制御手段（例えば、図２のＣＰＵ１０；図５のステップＳ１４）と、
前記複数の集合情報の内から他の集合情報を指定する第２指定手段（例えば、図２の入力部２０；図５のステップＳ１５：ＹＥＳ）と、
所定操作がなされた場合に、前記第２指定手段により指定された集合情報に対する検索語用の文字入力領域に、前記入力文字記憶手段に記憶されている入力文字を入力する第２入力手段（例えば、図２のＣＰＵ１０；図５のステップＳ１７）と、
この第２入力手段により入力された入力文字に適合する見出語を、前記第２指定手段により指定された集合情報から読み出して表示する制御を行う第２見出語表示制御手段（例えば、図２のＣＰＵ１０；図５のステップＳ１９）と、
を備えることを特徴とする情報表示制御装置である。
【０００９】
また、請求項６に記載の発明は、
コンピュータに、
見出語と該見出語の説明情報とが対応付けられて集合された集合情報を複数種類記憶する情報記憶機能と、
前記複数の集合情報の内から一の集合情報を指定する第１指定機能（例えば、図５のステップＳ１１）と、
この第１指定機能により指定された集合情報に対する検索語用の文字入力領域に、入力文字を入力する第１入力機能（例えば、図５のステップＳ１２）と、
この第１入力機能により入力された入力文字を記憶する入力文字記憶機能（例えば、図５のステップＳ１４）と、
前記第１入力機能により入力された入力文字に適合する見出語を、前記第１指定機能により指定された集合情報から読み出して表示する制御を行う第１見出語表示制御機能（例えば、図５のステップＳ１４）と、
前記複数の集合情報の内から他の集合情報を指定する第２指定機能（例えば、図５のステップＳ１５：ＹＥＳ）と、
所定操作がなされた場合に、前記第２指定機能により指定された集合情報に対する検索語用の文字入力領域に、前記入力文字記憶機能によって記憶されている入力文字を入力する第２入力機能（例えば、図５のステップＳ１７）と、
この第２入力機能により入力された入力文字に適合する見出語を、前記第２指定機能により指定された集合情報から読み出して表示する制御を行う第２見出語表示制御機能（例えば、図５のステップＳ１７）と、
を実現させるためのプログラムである。
【００１０】
この請求項１又は６に記載の発明によれば、複数の集合情報の内から指定された一の集合情報に対する検索語用の文字入力領域に入力された入力文字を記憶することができる。そして、他の集合情報が指定されて所定操作がなされた場合に、記憶されている入力文字を、指定された他の集合情報に対する検索語用の文字入力領域に入力し、この入力文字に適合する見出語を、指定された他の集合情報から読み出して表示制御することができる。
【００１１】
即ち、ユーザにとっては、一の集合情報についての検索語として入力文字を入力し、適合する見出語を表示させた後、他の集合情報を指定して所定操作を行うことのみで、先に入力した入力文字が、再度検索語として自動的に入力される。従って、入力文字について従来のヒストリ機能と同様な機能を実現するとともに、その機能を、一の集合情報から他の集合情報に亘って（即ち、複数種類の集合情報に亘って）横断的に利用可能となる。このため、電子辞書等の情報表示制御装置の使い勝手の向上が実現される。
【００１２】
また、請求項２に記載の発明のように、請求項１に記載の情報表示制御装置において、
前記入力文字記憶手段に記憶されている入力文字を、前記第２指定手段により指定された集合情報に含まれる見出語の文字種別の入力文字に変換する変換手段（例えば、図２のＣＰＵ１０；図１２のステップＳ３７）を更に備え、
前記第２入力手段は、前記変換手段により変換された後の入力文字を入力する変換文字入力手段（例えば、図２のＣＰＵ１０；図１２のステップＳ３７）を有する、
こととしても良い。
【００１３】
この請求項２に記載の発明によれば、請求項１に記載の発明と同様の効果を奏するとともに、記憶されている入力文字を、指定された他の集合情報に含まれる見出語の文字種別の入力文字に変換して、当該他の集合情報に対する検索語用の文字入力領域に入力することができる。
【００１４】
即ち、先に入力した入力文字の文字種別と、他の集合情報に含まれる見出語の文字種別とが異なる場合であっても、自動的に適切な文字種別の入力文字に変換して入力することができる。従って、入力文字についての従来のヒストリ機能と同様の機能を、複数種類の集合情報に亘って横断的に利用する際の利便性を更に向上させることができる。
【００１５】
また、請求項３に記載の発明のように、請求項２に記載の情報表示制御装置において、
前記変換手段は、前記入力文字記憶手段に記憶されている入力文字の文字種別がアルファベットであり、且つ、前記第２指定手段により指定された集合情報の見出語の文字種別が仮名である場合に、当該入力文字を仮名読みの入力文字に変換する仮名読み変換手段（例えば、図２のＣＰＵ１０；図２１のステップＳ６１）を有する、こととしても良い。
【００１６】
この請求項３に記載の発明によれば、請求項２に記載の発明と同様の効果を奏するとともに、記憶されている入力文字の文字種別がアルファベットであり、且つ、指定された他の集合情報の見出語の文字種別が仮名である場合に、この入力文字を仮名読みの入力文字に変換して入力することができる。
【００１７】
更に、請求項４に記載の発明のように、請求項１〜３の何れか一項に記載の情報表示制御装置において、
前記入力文字記憶手段は、複数の入力文字を蓄積記憶する蓄積記憶手段（例えば、図２のＲＡＭ６０；図２１のステップＳ５５）を有し、
前記第２入力手段は、前記所定操作がなされる毎に、前記蓄積記憶手段に蓄積記憶されている入力文字を順次切り換えて入力する切換入力手段（例えば、図２のＣＰＵ１０；図２１のステップＳ５７：ＹＥＳ〜Ｓ６２）を有する、
こととしても良い。
【００１８】
この請求項４に記載の発明によれば、請求項１〜３の何れか一項に記載の発明と同様の効果を奏するとともに、複数の入力文字を記憶することができる、所定の操作がなされる毎に、蓄積記憶している入力文字を順次切り換えて入力することができる。
【００１９】
即ち、ユーザにとっては、所定操作を複数回行うことで、直前に入力した入力文字のみならず、それ以前に入力した複数の入力文字についても自動的に入力される。従って、複数種類の集合情報に亘って同一の入力文字についての検索を実行する利便性の更なる向上を実現することができる。
【００２０】
請求項５に記載の発明は、
所定の通信回線を介して利用者端末と接続されるサーバにおいて、
見出語と該見出語の説明情報とが対応付けられて集合された集合情報を複数種類記憶する情報記憶手段（例えば、図２６の記憶部２０６０又はＲＯＭ２０４０）と、
前記複数の集合情報の内から一の集合情報を指定する第１指定情報を前記利用者端末から受信する第１指定情報受信手段（例えば、図２６の通信部２０７０）と、
前記利用者端末から入力文字を受信する入力文字受信手段（例えば、図２６の通信部２０７０）と、
この入力文字受信手段により受信された入力文字を記憶する入力文字記憶手段（例えば、図２６の記憶部２０６０又はＲＡＭ２０５０）と、
前記入力文字受信手段により受信された入力文字に適合する見出語を、前記第１指定情報受信手段により受信された第１指定情報が指定する集合情報から読み出して、前記利用者端末に送信する第１見出語送信手段（例えば、図２６のＣＰＵ２０１０、通信部２０７０）と、
前記複数の集合情報の内から他の集合情報を指定する第２指定情報を受信する第２指定情報受信手段（例えば、図２６の通信部２０７０）と、
前記利用者端末から所定操作信号を受信する操作信号受信手段（例えば、図２の通信部２０７０）と、
この操作信号受信手段により前記所定操作信号が受信された場合に、前記入力文字記憶手段に記憶されている入力文字に適合する見出語を、前記第２指定情報受信手段により受信された第２指定情報が指定する集合情報から読み出して、前記利用者端末に送信する第２見出語送信手段（例えば、図２のＣＰＵ２０１０、通信部２０７０）と、
を備えることを特徴とするサーバである。
【００２１】
また、請求項７に記載の発明は、
所定の通信回線を介して利用者端末と接続されるコンピュータに、
見出語と該見出語の説明情報とが対応付けられて集合された集合情報を複数種類記憶する情報記憶機能と、
前記複数の集合情報の内から一の集合情報を指定する第１指定情報を前記利用者端末から受信する第１指定情報受信機能と、
前記利用者端末から入力文字を受信する入力文字受信機能と、
この入力文字受信機能により受信された入力文字を記憶する入力文字記憶機能と、
前記入力文字受信機能により受信された入力文字に適合する見出語を、前記第１指定情報受信機能により受信された第１指定情報が指定する集合情報から読み出して、前記利用者端末に送信する第１見出語送信機能と、
前記複数の集合情報の内から他の集合情報を指定する第２指定情報を受信する第２指定情報受信機能と、
前記利用者端末から所定操作信号を受信する操作信号受信機能と、
この操作信号受信手段により前記所定操作信号が受信された場合に、前記入力文字記憶機能によって記憶されている入力文字に適合する見出語を、前記第２指定情報受信機能により受信された第２指定情報が指定する集合情報から読み出して、前記利用者端末に送信する第２見出語送信機能と、
を実現させるためのプログラムである。
【００２２】
この請求項５又は７に記載の発明によれば、複数の集合情報の内から利用者端末において指定された一の集合情報に対する検索語用の文字入力領域に入力された入力文字を記憶することができる。そして、利用者端末において他の集合情報が指定されて所定操作がなされた場合に、記憶されている入力文字を、指定された他の集合情報に対する検索語用の文字入力領域に入力し、この入力文字に適合する見出語を、指定された他の集合情報から読み出して、この利用者端末に送信することができる。
【００２３】
即ち、利用者端末を使用するユーザにとっては、一の集合情報についての検索語として入力文字を入力し、適合する見出語を表示させた後、他の集合情報を指定して所定操作を行うことのみで、先に入力した入力文字が、再度検索語として自動的に入力される。従って、入力文字について従来のヒストリ機能と同様な機能を実現するとともに、その機能を、一の集合情報から他の集合情報に亘って、即ち、複数種類の集合情報に亘って横断的に利用可能となる。
【００２４】
【発明の実施の形態】
以下、図面を参照して、本発明の実施の形態を詳細に説明する。尚、以下においては、本発明に係る情報表示制御装置を折り畳み式の携帯型電子辞書に適用した場合について説明するが、本発明の適用がこれに限定されるものではない。
【００２５】
［外観］
図１は、本発明を適用した携帯型電子辞書１の外観斜視図である。同図によれば、携帯型電子辞書１は、見出語や説明情報等を表示するためのディスプレイ３、検索語や検索実行指示を入力するための各種キー群５、を備えて構成される。
【００２６】
各種キー群５を構成する各キーには、それぞれ固有の機能が割り当てられており、ユーザは、これらのキーを押下して携帯型電子辞書１を操作する。各種キー群５は、辞書の種類を指定する辞書キー５ａ、文字キー５ｂ、カーソルキー５ｃ、戻るキー５ｄ、決定キー５ｅ、を含み、また、カーソルキー５ｃは、左キー５１ｃ、右キー５２ｃ、上キー５３ｃ、下キー５４ｃ、を有している。
【００２７】
［内部構成］
図２は、携帯型電子辞書１の内部構成の一例を示すブロック図である。同図によれば、携帯型電子辞書１は、ＣＰＵ１０、入力部２０、表示部３０、ＲＯＭ４０、ＲＡＭ６０、を備えて構成される。
【００２８】
ＣＰＵ１０は、入力される指示に応じて所定のプログラムに基づいた所定の処理を実行し、各機能部への指示やデータの転送等を行って、携帯型電子辞書１を統括的に制御する。具体的には、ＣＰＵ１０は、入力部２０から入力されるキーの押下信号等に応じてＲＯＭ４０に記憶されたプログラムを読み出し、当該プログラムに従って処理を実行する。そして、処理結果をＲＡＭ６０に保存するとともに、当該処理結果を表示するための表示信号を表示部３０に出力して、対応する表示情報を表示させる。
【００２９】
入力部２０は、仮名（ひらがな、カタカナを含む。）やアルファベット等の文字入力や、機能選択等に必要なキーを備えた入力装置で構成され、押下されたキーの押下信号等をＣＰＵ１０に出力する。この入力部２０におけるキー操作により、文字列の入力、検索実行指示、解説表示指示、ヒストリ登録指示、等の入力手段が実現される。尚、この入力部２０は、図１の各種キー群５に相当する。
【００３０】
表示部３０は、ＣＰＵ１０から入力される表示信号に基づいて各種画面を表示する表示装置で構成され、ＬＣＤ（Ｌｉｑｕｉｄ  Ｃｒｙｓｔａｌ  Ｄｉｓｐｌａｙ）やＥＬＤ（Ｅｌｅｃｔｒｏｎｉｃ  Ｌｕｍｉｎｅｓｃｅｎｔ  Ｄｉｓｐｌａｙ）等で構成される。尚、この表示部３０は、図１のディスプレイ３に相当する。
【００３１】
ＲＯＭ４０には、各種初期設定やハードウェアの検査、必要なプログラムのロード等を行うための初期プログラムが記憶される。ＣＰＵ１０は、携帯型電子辞書１の電源投入時においてこの初期プログラムを実行することにより、携帯型電子辞書１の動作環境を設定する。
【００３２】
また、ＲＯＭ４０には、携帯型電子辞書１の動作に係る各種処理プログラムや携帯型電子辞書１の備える種々の機能を実現するためのプログラムやデータ等が記憶される。尚、これらのプログラムやデータ等の詳細については、後述する各実施の形態において説明する。
【００３３】
ＲＡＭ６０は、ＣＰＵ１０が実行する各種処理プログラムや、これらのプログラムの実行に係るデータ等を一時的に保持する格納領域（メモリ）を備える。尚、これらの格納領域の詳細については、後述する各実施の形態において説明する。
【００３４】
このように構成される携帯型電子辞書１に適用される３つの実施の形態について、以下、順に説明する。
【００３５】
〔第１の実施の形態〕
先ず、第１の実施の形態を説明する。
【００３６】
［ＲＯＭ及びＲＡＭの構成］
第１の実施の形態におけるＲＯＭ４０（以下、第１の実施の形態におけるＲＯＭ４０を、適宜「ＲＯＭ４０ａ」と称する。）及びＲＡＭ６０（以下、第１の実施の形態におけるＲＡＭ６０を、適宜「ＲＡＭ６０ａ」と称する。）の構成を説明する。
【００３７】
図３（ａ）は、ＲＯＭ４０ａの構成を示す図であり、同図（ｂ）は、ＲＡＭ６０ａの構成を示す図である。
【００３８】
図３（ａ）によれば、ＲＯＭ４０ａには、第１英和辞書ＤＢ４１ａ、第２英和辞書ＤＢ４２ａ、第１辞書検索プログラム５１、が記憶される。
【００３９】
第１英和辞書ＤＢ４１ａは、第１英和辞書の辞書データベース（見出語と当該見出語を説明・解説等する説明情報とが対応付けられた情報を集合した集合情報を、コンピュータを用いて検索処理することができるように体系的に構成したものである。以下、適宜「辞書ＤＢ」と称する。）であり、図４（ａ）にそのデータ構成の一例を示す。
【００４０】
図４（ａ）は、第１英和辞書ＤＢ４１ａのデータ構成の一例を示す図である。同図によれば、第１英和辞書ＤＢ４１ａには、英単語である見出語（４１１ａ）と、見出語（４１１ａ）の日本語訳である説明情報（４１２ａ）と、が対応付けて格納されている。
【００４１】
第２英和辞書ＤＢ４２ａは、第２英和辞書の辞書ＤＢであり、図４（ｂ）にそのデータ構成の一例を示す。
図４（ｂ）は、第２英和辞書ＤＢ４２ａのデータ構成の一例を示す図である。同図によれば、第２英和辞書ＤＢ４２ａには、英単語である見出語（４２１ａ）と、見出語（４２１ａ）の日本語訳である説明情報（４２２ａ）と、が対応付けて格納されている。
【００４２】
第１辞書検索プログラム５１は、ＣＰＵ１０が後述する第１辞書検索処理（図５参照）を実行するためのプログラムである。
【００４３】
また、図３（ｂ）によれば、ＲＡＭ６０ａは、ユーザによって指定された辞書の種類を保持する指定辞書格納領域６１ａ、ユーザによって入力された文字を保持する入力文字格納領域６２ａ、を備えている。
【００４４】
［動作］
第１の実施の形態における動作を説明する。
図５は、第１辞書検索処理に係る携帯型電子辞書１の動作を説明するためのフローチャートであり、図６、図７は、第１辞書検索処理において表示部３０に表示される表示画面の遷移例を示す図である。この第１辞書検索処理は、ＣＰＵ１０がＲＯＭ４０の第１辞書検索プログラム５１を読み出して実行することで実現される処理である。
【００４５】
図５によれば、先ず、ユーザによって辞書の種類が指定されると（ステップＳ１１）、ＣＰＵ１０は、指定された辞書（指定辞書）の種類に応じた文字入力画面を表示部３０に表示させる。例えば、“第１英和辞書”が指定されたならば、この第１英和辞書についての文字入力画面を、図６（ａ）に示すように表示させる。この文字入力画面において、ユーザは、例えば文字キー５ｂを操作して、入力文字を入力する（ステップＳ１２）。
【００４６】
図６（ａ）は、この段階での表示画面の一例を示す図である。同図によれば、第１英和辞書についての文字入力画面が示されており、文字入力領域１０１には、ユーザによって入力された入力文字「〜ｐｏｌｉｔｉｃｓ」が表示されている。
【００４７】
そして、この表示画面において決定キー５ｅが操作されると（ステップＳ１３：ＹＥＳ）、ＣＰＵ１０は、文字入力領域１０１に表示されている入力文字を入力文字格納領域６２ａに格納するとともに、指定辞書の辞書ＤＢから、この入力文字に適合する見出語の候補を検索して一覧表示させる（ステップＳ１４）。即ち、入力文字「〜ｐｏｌｉｔｉｃｓ」を入力文字格納領域６２ａに格納するとともに、この入力見出語「〜ｐｏｌｉｔｉｃｓ」に適合する見出語の候補を第１英和辞書ＤＢ４１ａから検索して、図６（ｂ）に示すように表示させる。
【００４８】
図６（ｂ）は、この段階での表示画面の一例を示す図である。同図によれば、入力文字「〜ｐｏｌｉｔｉｃｓ」に適合する見出語の候補が一覧表示されている。そして、これらの内の一つの見出語「ｅｃｏ−ｐｏｌｉｔｉｃｓ」が、選択マーカＭＫ１によって反転表示されている。尚、選択マーカは、例えば上キー５３ｃ／下キー５４ｃの操作によって上／下に移動可能であり、選択マーカの移動に伴って、反転表示される見出語が変更される。
【００４９】
そして、この表示画面において決定キー５ｅが操作されると、ＣＰＵ１０は、指定辞書の辞書ＤＢから、選択マーカＭＫ１によって反転表示されている見出語に対応する説明情報を読み出して表示させる。即ち、見出語「ｅｃｏ−ｐｏｌｉｔｉｃｓ」に対応する説明情報を、第１英和辞書ＤＢ４１ａから読み出して表示させる。
【００５０】
次いで、ユーザによって他方の辞書が指定されると（ステップＳ１５：ＹＥＳ）、ＣＰＵ１０は、指定された辞書の種類に応じた文字入力画面を表示部３０に表示させる。例えば、“第２英和辞書”が指定されたならば、この第２英和辞書についての文字入力画面を、図６（ｃ）に示すように表示させる。
【００５１】
図６（ｃ）は、この段階での表示画面の一例を示す図である。同図によれば、第２英和辞書についての文字入力画面が表示されている。また、文字入力領域１０２には、入力を促すカーソルＣＳ２が表示されている。
【００５２】
そして、この表示画面において左キー５１ｃが操作されると（ステップＳ１６：ＹＥＳ）、ＣＰＵ１０は、入力文字格納領域６２ａに格納されている入力文字を文字入力領域１０２に表示させる（ステップＳ１７）。即ち、入力文字格納領域６２ａに格納されている入力文字“〜ｐｏｌｉｔｉｃｓ”を、図７（ａ）に示すように表示させる。
【００５３】
図７（ａ）は、この段階での表示画面の一例を示す図である。同図によれば、文字入力領域１０２には、図６（ａ）において文字入力領域１０１に入力された文字列「〜ｐｏｌｉｔｉｃｓ」が表示されている。
【００５４】
そして、この表示画面において決定キー５ｅが操作されると（ステップＳ１８：ＹＥＳ）、ＣＰＵ１０は、文字入力領域１０２に表示されている文字を入力文字格納領域６２ａに格納するとともに、指定辞書の辞書ＤＢから、この入力文字に適合する見出語の候補を検索して一覧表示させる（ステップＳ１９）。即ち、入力文字「〜ｐｏｌｉｔｉｃｓ」に適合する見出語の候補を第２英和辞書ＤＢ４２ａから検索して、図７（ｂ）に示すように表示させる。
【００５５】
図７（ｂ）は、この段階での表示画面の一例を示す図である。同図によれば、入力文字「〜ｐｏｌｉｔｉｃｓ」に適合する見出語の候補が一覧表示されている。そして、これらの内の一つの見出語「ａｇｒｏ−ｐｏｌｉｔｉｃｓ」が、選択マーカＭＫ２によって反転表示されている。
【００５６】
そして、この表示画面において決定キー５ｅが操作されると（ステップＳ２０：ＹＥＳ）、ＣＰＵ１０は、指定辞書の辞書ＤＢから、選択マーカＭＫ２によって反転表示されている見出語に対応する説明情報を読み出して表示させる（ステップＳ２１）。即ち、見出語「ａｇｒｏ−ｐｏｌｉｔｉｃｓ」に対応する説明情報を第２英和辞書ＤＢ４２ａから読み出して、図７（ｃ）に示すように表示させる。
【００５７】
図７（ｃ）は、この段階での表示画面の一例を示す図である。同図によれば、見出語「ａｇｒｏ−ｐｏｌｉｔｉｃｓ」の説明情報１１２が表示されている。
【００５８】
以上の処理を行うと、ＣＰＵ１０は、本第１辞書検索処理を終了する。
【００５９】
［作用・効果］
以上、第１の実施の形態によれば、第１英和辞書（一の集合情報）を指定し、この第１英和辞書についての文字入力領域１０１に入力文字「〜ｐｏｌｉｔｉｃｓ」を入力して決定キー５ｅを操作すると、この入力文字「〜ｐｏｌｉｔｉｃｓ」が入力文字格納領域６２ａに格納される。その後、第２英和辞書（他の集合情報）を指定し、続いて左キー５１ｃを操作すると、この第２英和辞書についての文字入力領域１０２に、先に入力した入力文字「〜ｐｏｌｉｔｉｃｓ」が表示される。
【００６０】
このように、入力文字について、従来のヒストリ機能と同様な機能を実現するともに、その機能を、第１英和辞書及び第２英和辞書といった複数の辞書に亘って利用可能となる。このため、ユーザにとっては、携帯型電子辞書１の使い勝手の向上が実現される。
【００６１】
〔第２の実施の形態〕
次に、第２の実施の形態を説明する。
【００６２】
［ＲＯＭ及びＲＡＭの構成］
第２の実施の形態におけるＲＯＭ４０（以下、第２の実施の形態におけるＲＯＭ４０を、適宜「ＲＯＭ４０ｂと称する。）及びＲＡＭ６０（以下、第２の実施の形態におけるＲＡＭ６０を、適宜「ＲＡＭ６０ｂ」と称する。）の構成を説明する。
【００６３】
図８（ａ）は、ＲＯＭ４０ｂの構成を示す図であり、同図（ｂ）は、ＲＡＭ６０ｂの構成を示す図である。
【００６４】
図８（ａ）によれば、ＲＯＭ４０ｂには、国語辞書ＤＢ４１ｂ、カタカナ語辞書ＤＢ４２ｂ、辞書／文字種別対応テーブル４３ｂ、第２辞書検索プログラム５２、が記憶される。
【００６５】
国語辞書ＤＢ４１ｂは、国語辞書の辞書ＤＢであり、図９（ａ）にそのデータ構成の一例を示す。
図９（ａ）は、国語辞書ＤＢ４１ｂのデータ構成の一例を示す図である。同図によれば、国語辞書ＤＢ４１ｂには、日本語であり、文字種別が仮名（“ひらがな”及び“カタカナ”を含む）の見出語（４１１ｂ）と、見出語（４１１ｂ）の意味を日本語で説明した説明情報（４１２ｂ）と、が対応付けて格納されている。
【００６６】
カタカナ語辞書４２ｂは、カタカナ語辞書の辞書ＤＢであり、図９（ｂ）にそのデータ構成の一例を示す。
図９（ｂ）は、カタカナ語辞書ＤＢ４２ｂのデータ構成の一例を示す図である。同図によれば、カタカナ語辞書ＤＢ４２ｂには、日本語であり、文字種別が“カタカナ”の見出語（４２１ｂ）と、見出語（４２１ｂ）の意味を日本語で説明した説明情報（４２２ｂ）と、が対応付けて格納されている。
【００６７】
辞書／文字種別対応テーブル４３ｂは、辞書の種類と入力文字の文字種別との対応関係を示すテーブルであり、図１０にそのデータ構成の一例を示す。
図１０は、辞書／文字種別対応テーブル４３ｂのデータ構成の一例を示すである。同図によれば、辞書／文字種別対応テーブル４３ｂには、辞書の種類（４３１ｂ）と、当該辞書についての入力文字の文字種別（４３２ｂ）と、が対応付けて記憶されている。同図に示す例によれば、国語辞書についての入力文字の文字種別は“ひらがな”及び“カタカナ”であり、カタカナ語辞書についての入力文字の文字種別は“カタカナ”である。
【００６８】
第２辞書検索プログラム５２は、ＣＰＵ１０が後述する第２辞書検索処理（図１２参照）を実行するためのプログラムである。
【００６９】
また、図８（ｂ）によれば、ＲＡＭ６０ｂは、ユーザによって指定された辞書の種類を保持する指定辞書格納領域６１ｂ、ユーザによって入力された入力文字を保持する入力文字格納領域６２ｂ、ヒストリテーブル７１を保持するヒストリテーブル格納領域６３ｂ、を備えている。
【００７０】
ヒストリテーブル７１は、入力文字を蓄積記憶するテーブルであり、図１１にそのデータ構成の一例を示す。
図１１は、ヒストリテーブル７１のデータ構成例を示す図である。同図によれば、ヒストリテーブル７１には、ユーザによって入力された入力文字（７１ｂ）が、蓄積Ｎｏ．（７１ａ）に対応付けて蓄積記憶される。蓄積Ｎｏ．（７１ａ）は、対応する入力文字（７１ｂ）が格納された順を表しており、蓄積Ｎｏ．（７１ａ）が小さい程新しいデータであることを示している。そして、ヒストリテーブル７１は、ユーザによって文字が入力される毎に、新たな入力文字（７１ｂ）が追加されて更新される。同図では、入力文字“れがしー”が入力された後、入力文字“ぎみっく”が入力された場合の蓄積例を示している。
【００７１】
［動作］
第２の実施の形態における動作を説明する。
図１２は、第２辞書検索処理に係る携帯型電子辞書１の動作を説明するためのフローチャートであり、図１３、図１４は、第２辞書検索処理において表示部３０に表示される表示画面の遷移例を示す図である。この第２辞書検索処理は、ＣＰＵ１０がＲＯＭ４０の第２辞書検索プログラム５２を読み出して実行することで実現される処理である。
【００７２】
図１２によれば、先ず、ユーザによって辞書の種類が指定されると（ステップＳ３１）、ＣＰＵ１０は、指定された辞書（指定辞書）の種類に応じた文字入力画面を表示部３０に表示させる。例えば、“国語辞書”が指定されたならば、この国語辞書についての文字入力画面を表示させる。この文字入力画面において、ユーザは、例えば文字キー５ｂを操作して、入力文字を入力する。入力文字が入力されると（ステップＳ３２）、ＣＰＵ１０は、指定辞書の辞書ＤＢから、この入力文字に適合する見出語の候補を検索して一覧表示させる。
【００７３】
図１３（ａ）は、この段階での表示画面の一例を示す図である。同図によれば、国語辞書についての文字入力画面が表示されており、文字入力領域１０３には、ユーザによって入力された入力文字「れがしー」が表示されている。また、この入力文字「れがしー」に適合する見出語の候補が一覧表示され、これらの内の一つの見出語「レガシー」が、選択マーカＭＫ３によって反転表示されている。
【００７４】
そして、この表示画面において決定キー５ｅが操作されると、ＣＰＵ１０は、文字入力領域１０３に表示されている入力文字をヒストリテーブル７１に追加格納するとともに（ステップＳ３３）、指定辞書の辞書ＤＢから、選択マーカＭＫ３によって反転表示されている見出語に対応する説明情報を読み出して表示させる。
【００７５】
即ち、入力文字「れがしー」を蓄積Ｎｏ．“１”に対応付けてヒストリテーブル７１に追加格納するとともに、見出語「レガート［ｌｅｇａｔｏ（イタリア）］」に対応する説明情報を、国語辞書ＤＢ４１ｂから読み出して表示させる。
【００７６】
次いで、再度国語辞書についての文字入力画面が表示されて（ステップＳ３４：ＮＯ）、他の入力文字が入力されると（ステップＳ３２）、ＣＰＵ１０は、上述したステップＳ３３を同様に実行して、指定辞書の辞書ＤＢから、この入力文字に適合する見出語の候補を検索して一覧表示させる。
【００７７】
図１３（ｂ）は、この段階での表示画面の一例を示す図である。同図によれば、国語辞書についての文字入力画面が表示され、文字入力領域１０３には、ユーザによって入力された文字「ぎみっく」が表示されている。また、この入力文字「ぎみっく」に適合する見出語の候補が一覧表示され、これらの内の一つの見出語「きみつ［君津］」が選択マーカＭＫ３によって反転表示されている。
【００７８】
そして、この表示画面において決定キー５ｅが操作されると、ＣＰＵ１０は、入力文字「ぎみっく」をヒストリテーブル７１に追加格納する（ステップＳ３３）。即ち、ヒストリテーブル７１には、入力文字が、図１１に示したように蓄積されたことになる。
【００７９】
その後、ユーザによって他方の辞書が指定されると（ステップＳ３４：ＹＥＳ）、ＣＰＵ１０は、指定された辞書の種類に応じた文字入力画面を表示部３０に表示させる。例えば、“カタカナ語辞書”が指定されたならば、図１３（ｃ）に示す文字入力画面を表示させる。
【００８０】
図１３（ｃ）は、この段階での表示画面の一例を示す図である。同図によれば、カタカナ語辞書についての文字入力画面が表示されている。また、文字入力領域１０４には、入力を促すカーソルＣＳ４が表示されている。
【００８１】
そして、この表示画面において左キー５１ｃが操作されると（ステップＳ３５：ＹＥＳ）、ＣＰＵ１０は、ヒストリテーブル７１から、蓄積Ｎｏ．順に１つの入力文字を選択して読み出す（ステップＳ３６）。また、辞書／文字種別対応テーブル４３ｂを参照して、指定辞書に対応する文字種別を判断する。そして、読み出した入力文字を、この判断した文字種別に変換した後、文字入力領域１０４に表示させる（ステップＳ３７）。次いで、指定辞書の辞書ＤＢから、変換後の入力文字に適合する見出語の候補を検索して一覧表示させる（ステップＳ３８）。
【００８２】
即ち、ヒストリテーブル７１に格納されている蓄積Ｎｏ．“１”の入力文字“ぎみっく”を、カタカナ語辞書についての入力文字の文字種別“カタカナ”に変換し、変換後の入力文字“ギミック”を、図１４（ａ）に示すように表示させる。そして、この入力文字“ギミック”に適合する見出語の候補をカタカナ語辞書ＤＢ４２ｂから検索して、一覧表示させる。
【００８３】
図１４（ａ）は、この段階での表示画面の一例を示す図である。同図によれば、文字入力領域１０４には、図１３（ｂ）において文字入力領域１０３に入力された入力文字「ぎみっく」を、文字種別“カタカナ”に変換した入力文字「ギミック」が表示されている。また、この入力文字「ギミック」に適合する見出語の候補が一覧表示され、これらの内の一つの見出語「ギミック〔ｇｉｍｍｉｃｋ〕」が、選択マーカＭＫ４によって反転表示されている。
【００８４】
そして、この表示画面において再度左キー５１ｃが操作されると（ステップＳ３５：ＹＥＳ）、ＣＰＵ１０は、上述したステップＳ３６〜Ｓ３８を同様に実行して、ヒストリテーブル７１から、次の蓄積Ｎｏ．の入力文字を読み出し、読み出した入力文字を、指定辞書に対応する文字種別に変換した後、文字入力領域１０４に表示させる（ステップＳ３６〜Ｓ３８）。
【００８５】
即ち、ヒストリテーブル７１に格納されている蓄積Ｎｏ．“２”の入力文字“れがしー”を“レガシー”に変換し、また、この入力文字“レガシー”に適合する見出語の候補をカタカナ語辞書ＤＢ４２ｂから検索して、図１４（ｂ）に示すように表示させる。
【００８６】
図１４（ｂ）は、この段階での表示画面の一例を示す図である。同図によれば、
文字入力領域１０４には、図１３（ａ）において文字入力領域１０３に入力された入力文字「れがしー」を、文字種別“カタカナ”に変換した入力文字「レガシー」が表示されている。また、この入力文字「レガシー」に適合する見出語の候補が一覧表示され、これらの内から一つの見出語「レガシー〔ｌｅｇａｃｙ〕」が、選択マーカＭＫ４によって反転表示されている。
【００８７】
そして、決定キー５ｅが操作されると（ステップＳ３５：ＮＯ〜Ｓ３９：ＹＥＳ）、ＣＰＵ１０は、指定辞書の辞書ＤＢから、選択マーカＭＫ４によって反転表示されている見出語に対応する説明情報を読み出して表示させる（ステップＳ４０）。即ち、見出語「レガシー〔ｌｅｇａｃｙ〕」に対応する説明情報をカタカナ語辞書ＤＢ４２ｂから読み出して、図１４（ｃ）に示すように表示させる。
【００８８】
図１４（ｃ）は、この段階での表示画面の一例を示す図である。同図によれば、見出語「レガシー〔ｌｅｇａｃｙ〕」の説明情報１１４が表示されている。
【００８９】
以上の処理を行うと（ステップＳ４１：ＹＥＳ）、ＣＰＵ１０は、本第２辞書検索処理を終了する。
【００９０】
［作用・効果］
以上、第２の実施の形態によれば、国語辞書（一の集合情報）を指定し、この国語辞書についての文字入力領域１０３に入力文字「れがしー」を入力して決定キー５ｅを操作し、続いて入力文字「ぎみっく」を入力して決定キー５ｅを操作すると、この入力文字「れがしー」及び「ぎみっく」が、ヒストリテーブル７１に追加格納される。
【００９１】
その後、カタカナ語辞書（他の集合情報）を指定し、続いて左キー５１ｃを操作すると、このカタカナ語辞書についての文字入力領域１０４に、直前に入力した入力文字「ぎみっく」を文字種別“カタカナ”に変換した入力文字「ギミック」が表示される。続いて、再度左キー５１ｃを操作すると、その前に入力した入力文字「れがしー」を文字種別“カタカナ”に変換した入力文字「レガシー」が、文字入力領域１０４に表示される。
【００９２】
このように、入力文字について、従来のヒストリ機能と同様な機能を実現するともに、その機能を、国語辞書及びカタカナ語辞書といった複数の辞書に亘って利用可能となる。このため、ユーザにとっては、携帯型電子辞書１の使い勝手の向上が実現される。
【００９３】
また、国語辞書（一方の辞書）に対して文字種別“ひらがな”で入力された入力文字が、カタカナ語辞書（他方の辞書）に合わせて文字種別“カタカナ”に自動的に変換されて入力される。このように、各辞書での見出語の文字種別が異なる場合には、入力先の辞書に合わせて自動的に変換されるので、ユーザは、入力文字の文字種別を気にする必要がなく、使い勝手の更なる向上が実現される。
【００９４】
〔第３の実施の形態〕
次に、第３の実施の形態を説明する。
【００９５】
［ＲＯＭ及びＲＡＭの構成］
第３の実施の形態におけるＲＯＭ４０（以下、第３の実施の形態におけるＲＯＭ４０を、適宜「ＲＯＭ４０ｃ」と称する。）及びＲＡＭ６０（以下、第３の実施の形態におけるＲＡＭ６０を、適宜「ＲＡＭ６０ｃ」と称する。）の構成を説明する。
【００９６】
図１５（ａ）は、ＲＯＭ４０ｃの構成を示す図であり、同図（ｂ）は、ＲＡＭ６０ｃの構成を示す図である。
【００９７】
図１５（ａ）によれば、ＲＯＭ４０ｃには、和英辞書ＤＢ４１ｃ、英和辞書ＤＢ４２ｃ、百科事典ＤＢ４３ｃ、英語類語辞書ＤＢ４４ｃ、辞書／文字種別対応テーブル４５ｃ、アルファベット／ひらがな変換テーブル４６ｃ、第３辞書検索プログラム５３、が記憶される。
【００９８】
和英辞書ＤＢ４１ｃは、和英辞書の辞書ＤＢであり、図１６（ａ）にそのデータ構成の一例を示す。
図１６（ａ）は、和英辞書ＤＢ４１ｃのデータ構成の一例を示す図である。同図によれば、和英辞書ＤＢ４１ｃには、文字種別が“ひらがな”の見出語（４１１ｃ）と、見出語（４１１ｃ）の英訳である説明情報（４１２ｃ）と、が対応付けて格納されている。
【００９９】
英和辞書ＤＢ４２ｃは、英和辞書の辞書ＤＢであり、図１６（ｂ）にそのデータ構成の一例を示す。
図１６（ｂ）は、英和辞書ＤＢ４２ｃのデータ構成の一例を示す図である。同図によれば、英和辞書ＤＢ４２ｃには、英単語であり、文字種別が“アルファベット”の見出語（４２１ｃ）と、見出語（４２１ｃ）の日本語訳である説明情報（４２２ｃ）と、が対応付けて格納されている。
【０１００】
百科事典ＤＢ４３ｃは、百科事典の辞書ＤＢであり、図１７（ａ）にそのデータ構成の一例を示す。
図１７（ａ）は、百科事典ＤＢ４３ｃのデータ構成の一例を示す図である。同図によれば、百科事典ＤＢ４３ｃには、日本語であり、文字種別が“ひらがな”或いは“カタカナ”である見出語（４３１ｃ）と、見出語（４３１ｃ）を日本語で説明した説明情報（４３２ｃ）と、が対応付けて格納されている。
【０１０１】
英語類語辞書ＤＢ４４ｃは、英語類語辞書の辞書ＤＢであり、図１７（ｂ）にそのデータ構成の一例を示す。
図１７（ｂ）は、英語類語辞書ＤＢ４４ｃのデータ構成の一例を示す図である。同図によれば、英語類語辞書ＤＢ４４ｃには、英単語或いは連語であり、文字種別が“アルファベット”の見出語（４４１ｃ）と、見出語（４４１ｃ）の類語を説明する説明情報（４４２ｃ）と、が対応付けて格納されている。
【０１０２】
辞書／文字種別対応テーブル４５ｃは、辞書の種類と入力文字の文字種別との対応関係を示すテーブルであり、図１８にそのデータ構成の一例を示す。
図１８は、辞書／文字種別対応テーブル４５ｃのデータ構成の一例を示す図である。同図によれば、辞書／文字種別対応テーブル４５ｃには、辞書の種類（４５１ｃ）と、当該辞書についての入力文字の文字種別（４５２ｃ）と、が対応付けて格納されている。同図に示す例によれば、和英辞書及び百科事典辞書についての入力文字の文字種別は“ひらがな”であり、英和辞書及び英語類語辞書についての入力文字の文字種別は“アルファベット”である。
【０１０３】
アルファベット／ひらがな変換テーブル４６ｃは、入力文字の文字種別を“アルファベット”から“ひらがな”に変換する際の対応関係を示すテーブルであり、図１９にそのデータ構成の一例を示す。
【０１０４】
図１９は、アルファベット／ひらがな変換テーブル４６ｃのデータ構成の一例を示す図である。同図によれば、アルファベット／ひらがな変換テーブル４６ｃには、１文字のアルファベット（４６１ｃ）と、当該１文字のアルファベットのひらがな読み（４６２ｃ）と、が対応付けて格納されている。同図に示す例によれば、アルファベット“Ａ”及び“ａ”は、ひらがな読み“えー”に変換され、アルファベット“Ｂ”及び“ｂ”は、ひらがな読み“びー”に変換される。
【０１０５】
第３辞書検索プログラム５３は、ＣＰＵ１０が後述する第３辞書検索プログラム（図２１、図２２参照）を実行するためのプログラムである。
【０１０６】
また、図１５（ｂ）によれば、ＲＡＭ６０ｃは、ユーザによって指定された辞書の種類を保持する指定辞書格納領域６１ｃ、ユーザによって入力された文字（入力文字）を保持する入力文字格納領域６２ｃ、ヒストリテーブル７２を保持するヒストリテーブル格納領域６３ｃ、ヒストリポインタの値を保持するヒストリポインタ格納領域６４ｃ、を備えている。
【０１０７】
ヒストリテーブル７２は、入力文字を蓄積記憶するテーブルであり、図２０にそのデータ構成の一例を示す。
図２０は、ヒストリテーブル７２のデータ構成例を示す図である。同図によれば、ヒストリテーブル７２には、ユーザによって入力された入力文字（７２ｂ）と、当該入力文字の文字種別（７２ｃ）とが、蓄積Ｎｏ．（７２ａ）に対応付けて蓄積される。蓄積Ｎｏ．（７２ａ）は、対応する入力文字（７２ｂ）が格納された順を表しており、蓄積Ｎｏ．（７２ａ）が小さい程新しいデータであることを示している。そして、ヒストリテーブル７２は、ユーザによって文字が入力される毎に、新たな入力文字（７２ｂ）が追加されて更新される。同図では、文字種別“ひらがな”の入力文字“いでんし”が入力された後、文字種別“アルファベット”の入力文字“ｇｅｎｅ”が入力され、次いで文字種別“アルファベット“の入力文字“ｄｎａ”が入力された場合の蓄積例を示している。
【０１０８】
ヒストリポインタは、ヒストリテーブル７２に格納されている入力文字の内の何れか１つを指すポインタであり、具体的には、蓄積Ｎｏ．（７２ａ）の値が格納される。そして、このヒストリポインタは、左キー５１ｃが操作される毎に“１”加算された値に更新されるとともに、他の辞書が指定されると初期値“１”に再設定される。
【０１０９】
［動作］
第３の実施の形態の動作を説明する。
図２１、図２２は、第３辞書検索処理に係る携帯型電子辞書１の動作を説明するためのフローチャートであり、図２３〜図２５は、第３辞書検索処理において表示部３０に表示される表示画面の遷移例を示す図であり、右部に表示画面を示し、左部に直前画面から当該画面に遷移する際のキー操作を示している。この第３辞書検索処理は、ＣＰＵ１０がＲＯＭ４０の第３辞書検索プログラム５３を読み出して実行することで実現される処理である。
【０１１０】
図２１によれば、先ず、ユーザによって辞書の種類が指定されると、ＣＰＵ１０は、ヒストリポインタを初期値“１”に設定する（ステップＳ５１）。そして、指定辞書の種類に応じた文字入力画面を表示部３０に表示させる。この文字入力画面において、ユーザは、例えば文字キー５ｂを操作して、入力文字を入力する。入力文字が入力されると（ステップＳ５２：ＹＥＳ）、ＣＰＵ１０は、指定辞書の辞書ＤＢから、この入力文字に適合する見出語の候補を検索して一覧表示させる（ステップＳ５３）。
【０１１１】
図２３（ａ）は、この段階での表示画面の一例を示す図である。同図によれば、和英辞書についての文字入力画面が表示されており、文字入力領域１０５には、ユーザによって入力された入力文字「いでんし」が表示されている。また、この入力文字「いでんし」に適合する見出語の候補が一覧表示され、これらの内の一つの見出語「いでんし［遺伝子］」が、選択マーカＭＫ５によって反転表示されている。
【０１１２】
そして、この表示画面において決定キー５ｅが操作されると（ステップＳ５４：ＹＥＳ）、ＣＰＵ１０は辞書／文字種別対応テーブル４５ｃを参照して、指定辞書に対応する文字種別を判断し、文字入力領域１０５に表示されている入力文字と、この判断した文字種別とを対応付けて、ヒストリテーブル７２に追加格納する（ステップＳ５５）。また、指定辞書の辞書ＤＢから、選択マーカＭＫ５によって反転表示されている見出語に対応する説明情報を読み出して表示させる（ステップＳ５６）。
【０１１３】
即ち、入力文字「いでんし」と、和英辞書に対応する文字種別“ひらがな”とを、蓄積Ｎｏ．“１”に対応付けてヒストリテーブル７２に追加格納するとともに、見出語「いでんし［遺伝子］」に対応する説明情報を、和英辞書ＤＢ４１ｃから読み出して表示させる。
【０１１４】
次いで、ユーザによって英和辞書が指定されると（ステップＳ６６：ＮＯ〜Ｓ６８：ＹＥＳ）、ＣＰＵ１０は、ヒストリポインタを初期値“１”に再設定した後（ステップＳ６９）、上述したステップＳ５２〜Ｓ５６を同様に実行して、図２３（ｂ）に示す表示画面を表示部３０に表示させる（ステップＳ５２：ＹＥＳ〜ステップＳ５３）。
【０１１５】
図２３（ｂ）は、この段階での表示画面の一例を示す図である。同図によれば、英和辞書についての文字入力画面が表示されており、文字入力領域１０６には、ユーザによって入力された入力文字「ｇｅｎｅ」が表示されている。また、この入力文字「ｇｅｎｅ」に適合する見出語の候補が一覧表示され、これらの内から一つの見出語「ｇｅｎｅ」が、選択マーカＭＫ６によって反転表示されている。
【０１１６】
そして、この表示画面において決定キー５ｅが操作されると（ステップＳ５４：ＹＥＳ）、ＣＰＵ１０は、入力文字「ｇｅｎｅ」を、英和辞書に対応する文字種別“アルファベット”と対応付けてヒストリテーブル７２に追加格納するとともに（ステップＳ５５）、見出語「ｇｅｎｅ」に対応する説明情報を、英和辞書ＤＢ４２ｃから読み出して表示させる（ステップＳ５６）。
【０１１７】
続いて、再度英和辞書についての文字入力画面が表示されて（ステップＳ６８：ＮＯ〜Ｓ７０：ＮＯ）、他の入力文字が入力されると（ステップＳ５２：ＹＥＳ）、ＣＰＵ１０は、上述したステップＳ５３〜Ｓ５６を同様に実行して、図２３（ｃ）に示す表示画面を表示部３０に表示させる。
【０１１８】
図２３（ｃ）は、この段階での表示画面の一例を示す図である。同図によれば、英和辞書についての文字入力画面が表示されており、文字入力領域１０６には、ユーザによって入力された入力文字「ｄｎａ」が表示されている。また、この入力文字「ｄｎａ」に適合する見出語の候補が一覧表示され、これらの内の一つの見出語「ＤＮＡ」が、選択マーカＭＫ６によって反転表示されている。
【０１１９】
そして、この表示画面において決定キー５ｅが操作されると（ステップＳ５４：ＹＥＳ）、ＣＰＵ１０は、入力文字「ｄｎａ」を、英和辞書に対応する文字種別“アルファベット”と対応付けてヒストリテーブル７２に追加格納するとともに（ステップＳ５５）、見出語「ＤＮＡ」に対応する説明情報を、英和辞書ＤＢ４２ｃから読み出して表示させる。即ち、ヒストリテーブル７２には、入力文字が、図２０に示したように蓄積されたことになる。
【０１２０】
その後、ユーザによって百科事典が指定されると（ステップＳ６８：ＹＥＳ）、ＣＰＵ１０は、ヒストリポインタを初期値“１”に再設定した後（ステップＳ６９）、この百科事典についての文字入力画面を表示部３０に表示させる。
【０１２１】
そして、左キー５１ｃが操作されると（ステップＳ５２：ＮＯ〜Ｓ５７：ＹＥＳ）、ヒストリテーブル７２から、ヒストリポインタが指す入力文字を選択して読み出す（ステップＳ５８）。また、辞書／文字種別対応テーブル４５ｃを参照して、指定辞書に対応する文字種別を判断する。次いで、読み出した入力文字の文字種別と、この判断した文字種別とが一致するか否かを判定する。
【０１２２】
その結果、一致すると判定した場合には（ステップＳ５９：ＹＥＳ）、ＣＰＵ１０は、読み出した入力文字を文字入力領域１０７に表示させる（ステップＳ６０）。一方、一致しないと判定した場合には（ステップＳ５９：ＮＯ）、読み出した入力文字を判断した文字種別に変換した後、文字入力領域１０７に表示させる（ステップＳ６１）。
【０１２３】
入力文字を文字入力領域１０７に表示させると、ＣＰＵ１０は、ヒストリポインタを“１”加算した値、即ち“２”に変更し（ステップＳ６２）、続いて、指定辞書の辞書ＤＢから、表示させた入力文字に適合する見出語の候補を検索して一覧表示させる（ステップＳ６３）。
【０１２４】
即ち、ヒストリテーブル７２に格納されている蓄積Ｎｏ．“１”の入力文字“ｄｎａ”を、指定辞書である百科事典についての入力文字の文字種別“かたかな”に変換する。具体的には、アルファベット／ひらがな変換テーブル４６ｃを参照して、入力文字“ｄｎａ”を構成する１文字毎に対応するひらがな読みに変換して、かな読みの入力文字に変換する。そして、変換後の入力文字を、図２３（ｄ）に示すように表示させる。
【０１２５】
図２３（ｄ）は、この段階での表示画面の一例を示す図である。同図によれば、百科事典についての文字入力画面が表示されており、文字入力領域１０８には、図２３（ｃ）において文字入力領域１０７に入力された入力文字「ｄｎａ」を、文字種別“ひらがな”に変換した入力文字「でぃーえぬえー」が表示されている。また、この入力文字「でぃーえぬえー」に適合する見出語の候補が一覧表示され、これらの内の一つの見出語「ディーエヌエー」が、選択マーカＭＫ８によって反転表示されている。
【０１２６】
そして、この表示画面において決定キー５ｅが操作されると（ステップＳ６４：ＹＥＳ）、ＣＰＵ１０は、見出語「ディーエヌエー［ＤＮＡ］」に対応する説明情報を百科事典ＤＢ４３ｃから読み出して、図２４（ａ）に示すように表示させる（ステップＳ６５）。
【０１２７】
図２４（ａ）は、この段階での表示画面の一例を示す図である。同図によれば、見出語「ディーエヌエー［ＤＮＡ］」の説明情報１１８ａが表示されている。
【０１２８】
そして、この表示画面において戻るキー５ｄが操作されると（ステップＳ６６：ＹＥＳ）、ＣＰＵ１０は、現在の表示画面に遷移直前の表示画面を再度表示させる。即ち、図２３（ｄ）に示した表示画面を、再度、図２４（ｂ）に示すように表示させる。
【０１２９】
そして、この表示画面において再度左キー５１ｃが連続して２回操作されると（ステップＳ６８：ＮＯ〜Ｓ７０：ＮＯ〜Ｓ５７：ＹＥＳ）、ＣＰＵ１０は、左キー５１ｃの操作毎に上述したステップＳ５８〜Ｓ７０：ＮＯ〜Ｓ５２を実行して、ヒストリテーブル７２からヒストリポインタが指す入力文字を順次読み出し、図２４（ｃ）に示すように表示させる。
【０１３０】
図２４（ｃ）は、この段階での表示画面の一例を示す図である。同図によれば、和英辞書についての文字入力画面が表示され、文字入力領域１０８には、図２３（ａ）において文字入力領域１０５に入力された入力文字「いでんし」が表示されている。また、この入力文字「いでんし」に適合する見出語の候補が一覧表示され、これらの内の一つの見出語「いでんし［遺伝子］」が、選択マーカＭＫ８によって反転表示されている。
【０１３１】
そして、この表示画面において決定キー５ｅが操作されると（ステップＳ６４：ＹＥＳ）、ＣＰＵ１０は、百科事典ＤＢ４３ｃから見出語「いでんし［遺伝子］」の説明情報を読み出して、図２４（ｄ）に示すように表示させる。
【０１３２】
図２４（ｄ）は、この段階での表示画面の一例を示す図である。同図によれば、見出語「いでんし［遺伝子］」の説明情報１１８ｂが表示されている。
【０１３３】
その後、ユーザによって英語類語辞書が指定されると（ステップＳ６８：ＹＥＳ）、ＣＰＵ１０は、ヒストリポインタを初期値“１”に再設定する（ステップＳ６９）。そして、左キー５１ｃが操作されると（ステップＳ５２：ＮＯ〜Ｓ５７：ＹＥＳ）、ＣＰＵ１１０は、上述したステップＳ５８〜Ｓ５６３を実行して、図２５（ａ）に示す表示画面を表示させる（ステップＳ５８〜Ｓ６３）。
【０１３４】
図２５（ａ）は、この段階での表示画面の一例を示す図である。同図によれば、
英語類語辞書についての文字入力画面が表示されており、文字入力領域１０９には、図２３（ａ）において文字入力領域１０６に入力された入力文字「ｄｎａ」が表示されている。また、この入力文字「ｄｎａ」に適合する見出語の候補が一覧表され、これらの内の一つの見出語「’ｄ  ｌｉｋｅ  ｔｏ  ｄｏ」が選択マーカＭＫ９によって反転表示されている。
【０１３５】
そして、この表示画面において再度左キー５１ｃが操作されると（ステップＳ６４：ＮＯ〜Ｓ６６：ＮＯ〜Ｓ６８：ＮＯ〜Ｓ７０：ＮＯ〜Ｓ５２：ＮＯ〜Ｓ５７：ＹＥＳ）、ＣＰＵ１０は、上述したステップＳ５８〜Ｓ６３を実行して、図２５（ｂ）に示す表示画面を表示させる（ステップＳ５８〜Ｓ６３）。
【０１３６】
図２５（ｂ）は、この段階での表示画面の一例を示す図である。同図によれば、文字入力領域１０９には、図２３（ｂ）において文字入力領域１０６に入力された入力文字「ｇｅｎｅ」が表示されている。また、この入力文字「ｇｅｎｅ」に適合する見出語の候補が一覧表され、これらの内の一つの見出語「ｇｅｎｅａｌｏｇｙ」が選択マーカＭＫ９によって反転表示されている。
【０１３７】
その後、ユーザによって和英辞書が指定されると（ステップＳ６８：ＹＥＳ）、ＣＰＵ１０は、ヒストリポインタを初期値“１”に再設定する（ステップＳ６９）。そして、左キー５１ｃが操作されると（ステップＳ５２：ＮＯ〜Ｓ５７：ＹＥＳ）、ＣＰＵ１１０は、上述したステップＳ５８〜Ｓ５６３を実行して、図２５（ｃ）に示す表示画面を表示させる（ステップＳ５８〜Ｓ６３）。
【０１３８】
図２５（ｃ）は、この段階での表示画面の一例を示す図である。同図によれば、和英辞書についての文字入力画面が表示されており、文字入力領域１０５には、図２３（ｃ）において文字入力領域１０７に入力された入力文字「ｄｎａ」をかな読みに変換した入力文字「でぃーえぬえー」が表示されている。また、この入力文字「でぃーえぬえー」に適合する見出語の候補が一覧表示され、これらの内から一つの見出語「ティー」が選択マーカＭＫ５によって反転表示されている。
【０１３９】
そして、この表示画面において再度左キー５１ｃが操作されると（ステップＳ６４：ＮＯ〜Ｓ６６：ＮＯ〜Ｓ６８：ＮＯ〜Ｓ７０：ＮＯ〜Ｓ５２：ＮＯ〜Ｓ５７：ＹＥＳ）、ＣＰＵ１０は、上述したステップＳ５８〜Ｓ６３を実行して、図２６（ｄ）に示す表示画面を表示させる（ステップＳ５８〜Ｓ６３）。
【０１４０】
図２６（ｄ）は、この段階での表示画面を示す図である。同図によれば、文字入力領域１０５には、図２３（ａ）において文字入力領域１０５に入力された入力文字「いでんし」が表示されている。また、この入力文字「いでんし」に適合する見出語の候補が一覧表示され、これらの内の一つの見出語「いでんし［遺伝子］」が選択マーカＭＫ５によって反転表示されている。
【０１４１】
その後、本処理の終了が指示されると（ステップＳ６４：ＮＯ〜Ｓ６６：ＮＯ〜Ｓ６７：ＮＯ〜Ｓ７０：ＹＥＳ）、ＣＰＵ１０は、本第３辞書検索処理を終了する。
【０１４２】
［作用・効果］
以上、第３の実施の形態によれば、和英辞書を指定し、この和英辞書についての文字入力領域１０５に入力文字「いでんし」を入力して決定キー５ｅを操作すると、この入力文字「いでんし」がヒストリテーブル７２に追加格納される。その後、英和辞書を指定し、この英和辞書についての文字入力領域１０６に入力文字「ｇｅｎｅ」を入力して決定キー５ｅを操作し、続いて入力文字「ｄｎａ」を入力して決定キー５ｅを操作すると、この入力文字「ｇｅｎｅ」及び「ｄｎａ」が、ヒストリテーブル７２に追加格納される。
【０１４３】
その後、百科事典を指定し、続いて左キー５１ｃを操作すると、この百科事典についての文字入力領域１０８に、直前に入力した入力文字「ｄｎａ」をひらがな読みに変換した入力文字「でぃーえぬえー」が表示される
【０１４４】
このように、入力文字について、従来のヒストリ機能と同様な機能を実現するともに、その機能を、和英辞書や英和事典、百科事典といった複数の辞書に亘って利用可能となる。このため、ユーザにとっては、携帯型電子辞書１の使い勝手の向上が実現される。
【０１４５】
また、文字種別“アルファベット”で入力された入力文字が、百科事典等の見出語の文字種別が“ひらがな“或いは”カタカナ“である辞書に合わせて、自動的に仮名読み（かな読み或いはカナ読み）に変換されて入力される。このように、各辞書での見出語の文字種別が異なる場合には、入力先の辞書に合わせて自動的に変換されるので、ユーザは、入力文字の文字種別を気にする必要がなく、使い勝手の更なる向上が実現される。
【０１４６】
〔変形例〕
尚、本発明の適用は、上述した３つの実施の形態に限定されることなく、本発明の趣旨を逸脱しない範囲で適宜変更可能である。
【０１４７】
（１）情報表示制御装置について
上述した第１〜第３の実施の形態では、電子辞書を適用例として説明したが、本発明の情報表示制御装置は、このような製品に限定されるものではなく、携帯電話機、パソコン（ＰＣ：Ｐｅｒｓｏｎａｌ  Ｃｏｍｐｕｔｅｒ）、電子時計、ＰＤＡ（Ｐｅｒｓｏｎａｌ  Ｄｉｇｉｔａｌ  Ａｓｓｉｓｔａｎｔｓ）等の電子機器全般に適用可能である。
【０１４８】
（２）電子辞書システム
また、上述した第１〜第３の実施の形態では、携帯型電子辞書１を単体で動作するいわゆるスタンドアロン型の装置として説明した。しかし、本発明が適用可能な装置はこれに限られるものではない。具体的には、通信装置を内蔵或いは接続可能に構成し、サーバと通信することによって本発明に係る装置を実現することも可能である。図面を参照して具体的に説明する。
【０１４９】
図２６は、通信装置を内蔵した電子辞書端末１０００と、サーバ２０００とが通信回線Ｎを介して通信可能に接続された電子辞書システムの概略構成を示す図である。サーバ２０００は、例えば汎用のワークステーションやサーバ用コンピュータ等によって構成されるものであり、電子辞書端末１０００は、携帯電話機や通信装置を内蔵したパソコン、通信装置を内蔵した携帯型電子辞書等により構成されるものである。通信回線Ｎは、有線／無線の電話網やインターネット網等である。
【０１５０】
図２６において、上述した第１〜第３の実施の形態における携帯型電子辞書１の主要機能を有する機能部を太線で示した。携帯型電子辞書１のＣＰＵ１０が実行する第１〜第３辞書検索処理は、サーバ２０００のＣＰＵ２０１０が実行する。また、携帯型電子辞書１のＲＯＭ４０が記憶するデータ（各種辞書ＤＢやテーブル等）やプログラム（第１〜第３辞書検索プログラム５１〜５３）等は、サーバ２０００の、ハードディスク等から構成される記憶部２０６０が記憶する。また、第１〜第３辞書検索処理の実行に伴うデータは、サーバ２０００のＲＡＭ２０５０が記憶する。
【０１５１】
一方、携帯型電子辞書１の入力部２０及び表示部３０は、それぞれ、電子辞書端末１０００の入力部１０２０及び表示部１０３０に相当する。
【０１５２】
即ち、サーバ２０００がホスト（或いはサーバ）、電子辞書端末１０００が端末（或いはクライアント）に相当するホスト・端末システム（或いはサーバ・クライアントシステム）を形成する。そして、電子辞書端末１０００の入力部１０２０から入力された入力文字等が通信部１０６０を介してサーバ２０００に送信され、サーバ２０００のＣＰＵ２０１０が、記憶部２０６０に記憶された各種データ及び各種プログラムに従って第１〜第３辞書検索処理を実行し、処理結果を通信部２０７０を介して電子辞書端末１０００に送信して表示部１０３０に表示させる。このように、サーバ２０００及び電子辞書端末１０００から構成されるシステムで本発明を実現することも可能である。この場合、電子辞書端末１０００においては、各種辞書ＤＢやテーブル等のデータや第１〜第３辞書検索プログラム等を記憶しておく必要がなく、また、第１〜第３辞書検索処理等を実行する必要もない。このため、電子辞書端末１０００は、演算処理能力が比較的低いＣＰＵ１０や記憶容量等が比較的小さいＲＯＭ１０４０等を有する携帯電話機等の電子辞書端末１０００であっても良い。
【０１５３】
【発明の効果】
請求項１又は６に記載の発明によれば、複数の集合情報の内から指定された一の集合情報に対する検索語用の文字入力領域に入力された入力文字を記憶することができる。そして、他の集合情報が指定されて所定操作がなされた場合に、記憶されている入力文字を、指定された他の集合情報に対する検索語用の文字入力領域に入力し、この入力文字に適合する見出語を、指定された他の集合情報から読み出して表示制御することができる。
【０１５４】
即ち、ユーザにとっては、一の集合情報についての検索語として入力文字を入力し、適合する見出語を表示させた後、他の集合情報を指定して所定操作を行うことのみで、先に入力した入力文字が、再度検索語として自動的に入力される。従って、入力文字について従来のヒストリ機能と同様な機能を実現するとともに、その機能を、一の集合情報から他の集合情報に亘って（即ち、複数種類の集合情報に亘って）横断的に利用可能となる。このため、電子辞書等の情報表示制御装置の使い勝手の向上が実現される。
【０１５５】
また、請求項２に記載の発明によれば、記憶されている入力文字を、指定された他の集合情報に含まれる見出語の文字種別の入力文字に変換して、当該他の集合情報に対する検索語用の文字入力領域に入力することができる。
【０１５６】
即ち、先に入力した入力文字の文字種別と、他の集合情報に含まれる見出語の文字種別とが異なる場合であっても、自動的に適切な文字種別の入力文字に変換して入力することができる。従って、入力文字についての従来のヒストリ機能と同様の機能を、複数種類の集合情報に亘って横断的に利用する際の利便性を更に向上させることができる。
【０１５７】
また、請求項３に記載の発明によれば、記憶されている入力文字の文字種別がアルファベットであり、且つ、指定された他の集合情報の見出語の文字種別が仮名である場合に、この入力文字を仮名読みの入力文字に変換して入力することができる。
【０１５８】
また、請求項４に記載の発明によれば、複数の入力文字を記憶することができる、所定の操作がなされる毎に、蓄積記憶している入力文字を順次切り換えて入力することができる。
【０１５９】
即ち、ユーザにとっては、所定操作を複数回行うことで、直前に入力した入力文字のみならず、それ以前に入力した複数の入力文字についても自動的に入力される。従って、複数種類の集合情報に亘って同一の入力文字についての検索を実行する利便性の更なる向上を実現することができる。
【０１６０】
また、請求項５又は７に記載の発明によれば、複数の集合情報の内から利用者端末において指定された一の集合情報に対する検索語用の文字入力領域に入力された入力文字を記憶することができる。そして、利用者端末において他の集合情報が指定されて所定操作がなされた場合に、記憶されている入力文字を、指定された他の集合情報に対する検索語用の文字入力領域に入力し、この入力文字に適合する見出語を、指定された他の集合情報から読み出して、この利用者端末に送信することができる。
【０１６１】
即ち、利用者端末を使用するユーザにとっては、一の集合情報についての検索語として入力文字を入力し、適合する見出語を表示させた後、他の集合情報を指定して所定操作を行うことのみで、先に入力した入力文字が、再度検索語として自動的に入力される。従って、入力文字について従来のヒストリ機能と同様な機能を実現するとともに、その機能を、一の集合情報から他の集合情報に亘って、即ち、複数種類の集合情報に亘って横断的に利用可能となる。
【図面の簡単な説明】
【図１】本発明を適用した携帯型電子辞書の外観例を示す図。
【図２】携帯型電子辞書の内部構成を示すブロック図。
【図３】第１の実施の形態におけるＲＯＭ及びＲＡＭの構成を示す図。
【図４】（ａ）第１英和辞書ＤＢのデータ構成例を示す図、（ｂ）第２英和辞書ＤＢのデータ構成例を示す図。
【図５】第１辞書検索処理に係る携帯型電子辞書の動作を説明するためのフローチャート。
【図６】第１辞書検索処理における表示画面の遷移例を示す図。
【図７】図６の表示画面の遷移例の続き。
【図８】第２の実施の形態におけるＲＯＭ及びＲＡＭの構成を示す図。
【図９】（ａ）国語辞書ＤＢのデータ構成例を示す図、（ｂ）カタカナ語辞書ＤＢのデータ構成例を示す図。
【図１０】第２の実施の形態における辞書／文字種別対応テーブルのデータ構成例を示す図。
【図１１】第２の実施の形態におけるヒストリテーブルの蓄積例を示す図。
【図１２】第２辞書検索処理に係る携帯型電子辞書の動作を説明するためのフローチャート。
【図１３】第２辞書検索処理における表示画面の遷移例を示す図。
【図１４】図１３の表示画面の遷移例の続き。
【図１５】第３の実施の形態におけるＲＯＭ及びＲＡＭの構成を示す図。
【図１６】（ａ）和英辞書ＤＢのデータ構成例を示す図、（ｂ）英和辞書ＤＢのデータ構成例を示す図。
【図１７】（ａ）百科事典ＤＢのデータ構成例を示す図、（ｂ）英語類語辞書ＤＢのデータ構成例を示す図。
【図１８】第３の実施の形態における辞書／文字種別対応テーブルのデータ構成例を示す図。
【図１９】第３の実施の形態におけるアルファベット／ひらがな変換テーブルのデータ構成例を示す図。
【図２０】第３の実施の形態におけるヒストリテーブルのデータ蓄積例を示す図。
【図２１】第３辞書検索処理に係る携帯型電子辞書の動作を説明するためのフローチャート。
【図２２】図２１のフローチャートの続き。
【図２３】第３辞書検索処理における表示画面の遷移例を示す図。
【図２４】図２３の表示画面の遷移例の続き。
【図２５】図２４の表示画面の遷移例の続き。
【図２６】電子辞書システムの概略構成を示す図。
【符号の説明】
１  携帯型電子辞書
１０  ＣＰＵ
２０  入力部
３０  表示部
４０（４０ａ、４０ｂ、４０ｃ）  ＲＯＭ
４１ａ  第１英和辞書ＤＢ
４２ａ  第２英和辞書ＤＢ
４１ｂ  国語辞書ＤＢ
４２ｂ  カタカナ語辞書ＤＢ
４１ｃ  和英辞書ＤＢ
４２ｃ  英和辞書ＤＢ
４３ｃ  百科事典ＤＢ
４４ｃ  英語類語辞書ＤＢ
４５ｂ、４５ｃ  辞書／文字種別対応テーブル
４６ｃ  アルファベット／ひらがな変換テーブル
５１  第１辞書検索プログラム
５２  第２辞書検索プログラム
５３  第３辞書検索プログラム
６０（６０ａ、６０ｂ、６０ｃ）  ＲＡＭ
６１ａ、６１ｂ、６１ｃ  指定辞書格納領域
６２ａ、６２ｂ、６２ｃ  入力文字格納領域
６３ｂ、６３ｃ  ヒストリテーブル格納領域
６４ｃ  ヒストリポインタ格納領域
７１、７２  ヒストリテーブル
【図１】
2004295308.tif 000003
【図２】
2004295308.tif 000004
【図３】
2004295308.tif 000005
【図４】
2004295308.tif 000006
【図５】
2004295308.tif 000007
【図６】
2004295308.tif 000008
【図７】
2004295308.tif 000009
【図８】
2004295308.tif 000010
【図９】
2004295308.tif 000011
【図１０】
2004295308.tif 000012
【図１１】
2004295308.tif 000013
【図１２】
2004295308.tif 000014
【図１３】
2004295308.tif 000015
【図１４】
2004295308.tif 000016
【図１５】
2004295308.tif 000017
【図１６】
2004295308.tif 000018
【図１７】
2004295308.tif 000019
【図１８】
2004295308.tif 000020
【図１９】
2004295308.tif 000021
【図２０】
2004295308.tif 000022
【図２１】
2004295308.tif 000023
【図２２】
2004295308.tif 000024
【図２３】
2004295308.tif 000025
【図２４】
2004295308.tif 000026
【図２５】
2004295308.tif 000027
【図２６】
2004295308.tif 000028